【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
コンテンツデータを記憶する記憶媒体と、
上記記憶媒体に記憶される上記コンテンツデータを転送可能な外部記憶媒体を検出する外部記憶媒体検出手段と、
上記外部記憶媒体検出手段により検出された複数の上記外部記憶媒体に対し、上記記憶媒体に記憶される上記コンテンツデータを自動的に転送する転送手段と
を具えることを特徴とするコンテンツ記憶装置。
【請求項２】
上記記憶媒体に記憶される上記コンテンツデータを同時に転送する転送先の上記外部記憶媒体を設定する転送先設定手段
を具え、
上記転送手段は、
上記転送先設定手段により上記コンテンツデータの転送先として複数の上記外部記憶媒体が設定されているとき、上記外部記憶媒体検出手段により検出された当該複数の上記外部記憶媒体に対し、上記記憶媒体に記憶される上記コンテンツデータを自動的に転送する
ことを特徴とする請求項１に記載のコンテンツ記憶装置。
【請求項３】
上記記憶媒体に記憶される上記コンテンツデータに対応する利用条件情報に基づき、当該コンテンツデータが転送可能か否かを判定する転送判定手段
を具え、
上記転送手段は、
上記転送判定手段により転送可能であると判定された上記コンテンツデータを、上記外部記憶媒体検出手段により検出された複数の上記外部記憶媒体に対して自動的に転送する
ことを特徴とする請求項２に記載のコンテンツ記憶装置。
【請求項４】
上記転送手段は、
上記外部記憶媒体検出手段により検出された複数の上記外部記憶媒体に記憶されているコンテンツデータのうち、上記記憶媒体に対して受信可能な当該コンテンツデータを全て受信した後、当該複数の上記外部記憶媒体に対し、上記記憶媒体に記憶される上記コンテンツデータを自動的に転送する
ことを特徴とする請求項１に記載のコンテンツ記憶装置。
【請求項５】
上記外部記憶媒体検出手段により検出された複数の上記外部記憶媒体に記憶されている上記コンテンツデータのうち、上記記憶媒体に対して受信可能な当該コンテンツデータを全て受信するか否かを設定する受信設定手段
を具え、
上記転送手段は、
上記受信設定手段により、複数の上記外部記憶媒体に記憶されている上記コンテンツデータのうち、上記記憶媒体に対して受信可能な当該コンテンツデータを全て受信するように設定されているとき、上記外部記憶媒体検出手段により検出された当該複数の上記外部記憶媒体に記憶されている上記コンテンツデータのうち、上記記憶媒体に対して受信可能な当該コンテンツデータを全て受信する
ことを特徴とする請求項４に記載のコンテンツ記憶装置。
【請求項６】
上記コンテンツデータが予め記録された外部記録媒体から読み出された当該コンテンツデータを上記記憶媒体に記憶する記憶手段と、
上記記憶媒体に記憶される上記コンテンツデータを同時に転送する転送先の上記外部記憶媒体を設定する転送先設定手段と、
上記記憶手段により上記記憶媒体に記憶される上記コンテンツデータを上記外部記憶媒体に対して自動的に転送するか否かを設定する転送設定手段と、
外部からの単一の操作に応じて制御信号を上記記憶手段及び上記転送手段に送出する操作手段と
を具え、
上記転送先設定手段により上記コンテンツデータの転送先として複数の上記外部記憶媒体が設定されると共に、上記受信設定手段により、複数の上記外部記憶媒体に記憶されている上記コンテンツデータのうち、上記記憶媒体に対して受信可能な当該コンテンツデータを全て受信するように設定され、さらに上記転送設定手段により、上記記憶媒体に記憶される上記コンテンツデータを上記外部記憶媒体に対して自動的に転送するように設定されているときに上記操作手段に対する単一の上記操作に応じて、
上記転送手段が、上記外部記憶媒体検出手段により検出された複数の上記外部記憶媒体に記憶されている上記コンテンツデータのうち、上記記憶媒体に対して受信可能な当該コンテンツデータを全て受信した後、上記記憶手段が、上記外部記録媒体から読み出された上記コンテンツデータを上記記憶媒体に記憶し、上記転送手段が、上記記憶媒体に記憶された上記コンテンツデータを、上記外部記憶媒体検出手段により検出された複数の上記外部記憶媒体に対して自動的に転送する
ことを特徴とする請求項５に記載のコンテンツ記憶装置。
【請求項７】
上記記憶手段は、
上記外部記録媒体から読み出された１つの上記コンテンツデータを上記記憶媒体に記憶し、
上記転送手段は、
上記記憶媒体に記憶された１つの上記コンテンツデータを、上記外部記憶媒体検出手段により検出された複数の上記外部記憶媒体に対して自動的に転送する
ことを特徴とする請求項６に記載のコンテンツ記憶装置。
【請求項８】
上記コンテンツデータが予め記録された外部記録媒体から読み出された当該コンテンツデータを上記記憶媒体に記憶する記憶手段と、
上記記憶手段により上記記憶媒体に記憶される上記コンテンツデータを上記外部記憶媒体に対して自動的に転送するか否かを設定する転送設定手段と
を具え、
上記転送手段は、
上記転送設定手段により、上記記憶媒体に記憶される上記コンテンツデータを上記外部記憶媒体に対して自動的に転送するように設定されているとき、上記記憶手段により、上記外部記録媒体から読み出された上記コンテンツデータが上記記憶媒体に記憶されると、当該記憶媒体に記憶された上記コンテンツデータを、上記外部記憶媒体検出手段により検出された複数の上記外部記憶媒体に対して自動的に転送する
ことを特徴とする請求項１に記載のコンテンツ記憶装置。
【請求項９】
記憶媒体に記憶されるコンテンツデータを転送可能な外部記憶媒体を検出する外部記憶媒体検出ステップと、
上記コンテンツデータを上記記憶媒体に記憶するコンテンツデータ記憶ステップと、
上記外部記憶媒体検出ステップで検出された複数の上記外部記憶媒体に対し、上記コンテンツデータ記憶ステップで上記記憶媒体に記憶された上記コンテンツデータを自動的に転送する転送ステップと
を具えることを特徴とするコンテンツ記憶方法。
【請求項１０】
情報処理装置に対して、
記憶媒体に記憶されるコンテンツデータを転送可能な外部記憶媒体を検出する外部記憶媒体検出ステップと、
上記コンテンツデータを上記記憶媒体に記憶するコンテンツデータ記憶ステップと、
上記外部記憶媒体検出ステップで検出された複数の上記外部記憶媒体に対し、上記コンテンツデータ記憶ステップで上記記憶媒体に記憶された上記コンテンツデータを自動的に転送する転送ステップと
を実行させるためのコンテンツ記憶プログラム。
【手続補正２】
【補正対象書類名】明細書
【補正対象項目名】００１５
【補正方法】変更
【補正の内容】
【００１５】
かかる課題を解決するため本発明のコンテンツ記憶装置においては、コンテンツデータを記憶する記憶媒体と、当該記憶媒体に記憶されるコンテンツデータを転送可能な外部記憶媒体を検出する外部記憶媒体検出手段と、その外部記憶媒体検出手段により検出された複数の外部記憶媒体に対し、記憶媒体に記憶されるコンテンツデータを自動的に転送する転送手段とを設けるようにした。
【手続補正３】
【補正対象書類名】明細書
【補正対象項目名】００１６
【補正方法】変更
【補正の内容】
【００１６】
従って本発明のコンテンツ記憶装置では、記憶媒体に記憶したコンテンツデータを、複数の外部記憶媒体に対し一括して容易に転送することができる。
【手続補正４】
【補正対象書類名】明細書
【補正対象項目名】００１７
【補正方法】変更
【補正の内容】
【００１７】
また本発明のコンテンツ記憶方法においては、記憶媒体に記憶されるコンテンツデータを転送可能な外部記憶媒体を検出する外部記憶媒体検出ステップと、コンテンツデータを記憶媒体に記憶するコンテンツデータ記憶ステップと、外部記憶媒体検出ステップで検出された複数の外部記憶媒体に対し、コンテンツデータ記憶ステップで記憶媒体に記憶されたコンテンツデータを自動的に転送する転送ステップとを設けるようにした。
【手続補正５】
【補正対象書類名】明細書
【補正対象項目名】００１８
【補正方法】変更
【補正の内容】
【００１８】
従って本発明のコンテンツ記憶方法では、記憶媒体に記憶したコンテンツデータを、複数の外部記憶媒体に対し一括して容易に転送することができる。
【手続補正６】
【補正対象書類名】明細書
【補正対象項目名】００１９
【補正方法】変更
【補正の内容】
【００１９】
さらに本発明のコンテンツ記憶プログラムにおいては、情報処理装置に対して、記憶媒体に記憶されるコンテンツデータを転送可能な外部記憶媒体を検出する外部記憶媒体検出ステップと、コンテンツデータを記憶媒体に記憶するコンテンツデータ記憶ステップと、外部記憶媒体検出ステップで検出された複数の外部記憶媒体に対し、コンテンツデータ記憶ステップで記憶媒体に記憶されたコンテンツデータを自動的に転送する転送ステップとを実行させるようにした。
【手続補正７】
【補正対象書類名】明細書
【補正対象項目名】００２０
【補正方法】変更
【補正の内容】
【００２０】
従って本発明のコンテンツ記憶プログラムでは、情報処理装置に対して、記憶媒体に記憶したコンテンツデータを、複数の外部記憶媒体に対し一括して容易に転送させることができる。
【手続補正８】
【補正対象書類名】明細書
【補正対象項目名】００２１
【補正方法】変更
【補正の内容】
【００２１】
本発明によれば、記憶媒体に記憶されるコンテンツデータを転送可能な外部記憶媒体を検出すると共に、コンテンツデータを記憶媒体に記憶し、その検出した複数の外部記憶媒体に対し、記憶媒体に記憶したコンテンツデータを自動的に転送するようにしたことにより、記憶媒体に記憶したコンテンツデータを、複数の外部記憶媒体に対し一括して容易に転送することができ、かくして記憶媒体に記憶したコンテンツデータを複数の外部記憶媒体で容易に利用可能にし得るコンテンツ記憶装置、コンテンツ記憶方法及びコンテンツ記憶プログラムを実現することができる。